(57)【特許請求の範囲】
【請求項１】
画像が表示される表示部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させ、
更に前記表示制御部は、前記全体像の表示時に、前記表示領域に最初に表示させる前記スクロール画像の予め定められた一部分を、他部分とは表示を異ならせて、前記表示部に表示させる表示装置。
【請求項２】
画像が表示される表示部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させ、
更に、前記表示部の前記表示領域に直近に表示させた前記スクロール画像の予め定められた一部分を示す表示位置情報を記憶する表示位置情報記憶部を備え、
前記表示制御部は、前記表示位置情報記憶部に記憶されている前記表示位置情報が示す画像部分を、前記表示領域に最初に表示する前記スクロール画像の予め定められた一部分として、前記表示部に表示させる表示装置。
【請求項３】
画像が表示される表示部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させ、
更に前記表示制御部は、前記スクロール画像に予め定められた数以上の情報を示す画像が含まれている場合、前記スクロール画像を分割して前記表示領域内に並べて配置した前記全体像を、前記表示部に表示させる表示装置。
【請求項４】
画像が表示される表示部と、
ユーザーからの操作を受け付ける操作受付部と、
前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、
前記表示制御部は、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させ、
更に前記表示制御部は、前記全体像を前記表示部に表示させる場合に、前記表示領域に最初に表示する前記スクロール画像の予め定められた一部分以外は簡略化して表示させる表示装置。
【請求項５】
前記表示制御部は、前記全体像を表示させた後、前記全体像における前記最初に表示する前記スクロール画像の予め定められた一部分を徐々に拡大させて表示することで、前記表示部の表示領域に表示可能な範囲内での前記スクロール画像の一部分の表示を行う請求項１乃至請求項４のいずれかに記載の表示装置。
【請求項６】
ユーザーからの操作を受け付ける操作受付部と、
表示部の動作を制御し、前記操作受付部がユーザーから、表示部の表示内容をスクロール表示させる指示を受け付けると、当該指示に応じて前記表示部の表示内容をスクロール表示させる表示制御部として、コンピューターを機能させる表示制御プログラムであって、
前記表示制御部が、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させ、
更に前記表示制御部が、前記全体像の表示時に、前記表示領域に最初に表示させる前記スクロール画像の予め定められた一部分を、他部分とは表示を異ならせて、前記表示部に表示させるように、更に前記コンピューターを機能させる表示制御プログラム。
【発明の詳細な説明】
【技術分野】
【０００１】
本発明は、表示装置及び表示制御プログラムに関し、特に、表示部に表示される画像をスクロール表示させる技術に関する。
【背景技術】
【０００２】
表示装置には、ユーザーが表示部の表示画面に対して行うタッチ操作に従って、表示部の表示画面をスクロール表示するものがある。スワイプ等のタッチ操作に従って実行されるスクロール表示は直感的で操作性も良く、さらにはスクロールバーの表示を無くしたり小さくできるため、表示部における画像の表示領域を大きくできるというメリットがある。
【０００３】
しかしながら、スクロールバーの表示が無い、あるいは小さいと、表示画面をスクロールできること、すなわち、表示部の表示領域に表示していないが更に表示すべき画像があることをユーザーが気付かないおそれがある。例えば、画像形成装置では、複数のジョブ情報が予め定められた順序で列挙されたリストを表示する場合がある。ジョブ情報は複数のジョブ名等が受付時刻順に列挙して表示されるが、スクロールバーの表示が無い、あるいは小さいと、ユーザーは、表示されずに隠れているジョブ情報に気付かない事態が生じ得る。
【０００４】
このため、表示部にスクロール可能な画像を表示する場合には、当該画像をその最終位置が表示されるまで一旦スクロールアップさせる表示装置が提案されている（例えば、下記特許文献１を参照）。
【先行技術文献】
【特許文献】
【０００５】
【特許文献１】特開平４−２３４７８９号公報
【発明の概要】
【発明が解決しようとする課題】
【０００６】
しかしながら、上記特許文献１に示される表示装置は、表示対象の画像をその最終位置が表示されるまで一旦スクロールアップさせ、スクロール可能な画像の後端部が表示された状態となるため、ユーザーが、当該画像の先頭位置等の所望の部分から内容を確認して操作を行うためには、当該画像の先頭位置を表示部の表示画面に表示させるスクロールダウンを指示する操作等を行う必要が生じ、ユーザーにとっては操作が面倒になっていた。
【０００７】
本発明は、上記の事情に鑑みなされたものであり、ユーザーの操作を面倒にすることなく、表示部に表示されている画像が、スクロール表示により全体が表示部に表示される画像であることを、ユーザーが容易に把握できるようにすることを目的とする。
【課題を解決するための手段】
【０００８】
本発明の一局面に係る表示装置は、画像が表示される表示部と、ユーザーからの操作を受け付ける操作受付部と、前記表示部の動作を制御し、前記操作受付部がユーザーから前記表示部の表示内容をスクロール表示させる指示を受け付けると、当該指示に応じて前記表示部の表示内容をスクロール表示させる表示制御部とを備え、前記表示制御部は、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させるものである。
【０００９】
また、本発明の一局面に係る表示制御プログラムは、ユーザーからの操作を受け付ける操作受付部と、表示部の動作を制御し、前記操作受付部がユーザーから、表示部の表示内容をスクロール表示させる指示を受け付けると、当該指示に応じて前記表示部の表示内容をスクロール表示させる表示制御部として、コンピューターを機能させる表示制御プログラムであって、前記表示制御部は、表示対象とする画像が前記スクロール表示により前記表示部に表示するスクロール画像である場合には、当該スクロール画像の全体を示す全体像を前記表示部に一旦表示させてから、前記表示部の表示領域に表示可能な範囲内となる、当該スクロール画像の予め定められた一部分を前記表示部に表示させるように、更に前記コンピューターを機能させるものである。
【発明の効果】
【００１０】
本発明によれば、スクロール表示をしなければ全体が表示領域に表示されないスクロール画像を表示部に表示させる場合には、当該スクロール画像の全体を示す全体像が表示部にまず表示されるため、当該スクロール画像が未だ表示部に表示されていない画像部分を含むことを、ユーザーが当該全体像を視認することで、容易に把握することができる。また、スクロール画像の全体像が表示部に表示された後は、ユーザーが操作を行わなくても、予め定められたスクロール画像の一部分のみが表示部に表示される状態になるため、全体像がそのまま表示され続けて細部を視認し難い等の不具合なく、ユーザーは当該表示されている画像に基づく操作等をすぐに行うことができる。
【図面の簡単な説明】
【００１１】
【図１】本発明の一実施形態に係る表示装置としての画像形成装置の主要内部構成を概略的に示した機能ブロック図である。
【図２】画像形成装置による表示制御時の処理を示すフローチャートである。
【図３】表示画面の一例を示した図である。
【図４】表示画面の各要素を示した図である。
【図５】表示部に表示される表示の一例を示した図である。
【図６】表示部に表示される表示の一例を示した図である。
【図７】スクロール画像のトップ部分が徐々に拡大されていくアニメーション表示を説明するための説明図である。
【図８】表示部に表示される表示の一例を示した図である。
【図９】表示部に表示される表示の一例を示した図である。
【図１０】表示部に表示される表示の一例を示した図である。
【発明を実施するための形態】
【００１２】
以下、本発明の一実施形態に係る表示装置及び表示制御プログラムについて図面を参照して説明する。図１は、本発明の一実施形態に係る表示装置としての画像形成装置の主要内部構成を概略的に示した機能ブロック図である。
【００１３】
本発明の一実施形態に係る表示装置は、例えば、画像形成装置である。当該画像形成装置１は、例えば、コピー機能、プリンター機能、スキャナー機能、及びファクシミリ機能のような複数の機能を兼ね備えた複合機であり、制御ユニット１０、原稿給送部６、原稿読取部５、画像形成部１２、画像メモリー３２、ＨＤＤ（Hard Disk Drive）９２、定着部１３、給紙部１４、操作部４７、ファクシミリ通信部７１、及びネットワークインターフェイス部９１を含んで構成されている。
【００１４】
画像形成部１２は、印刷すべき画像のトナー像を用紙（記録媒体）上に形成する。
【００１５】
ＨＤＤ９２は、原稿読取部５によって読み取られた原稿画像等を記憶する大容量の記憶装置であるとともに、本発明の一実施形態に係る表示制御プログラムを記憶する。
【００１６】
操作部４７は、画像形成装置１が実行可能な各種動作及び処理について、操作者から、画像形成動作実行指示や原稿読取動作実行指示等の指示を受け付ける。操作部４７は、操作者への操作案内等を表示する表示部４７３を備えている。表示部４７３はタッチパネル機能を備え、当該タッチパネルにより、操作者が画面表示されるボタンやキーに触れる操作を検知して、検知した操作を示す検知信号を、後述する操作受付部１０１に出力する。
【００１７】
制御ユニット１０は、プロセッサー、ＲＡＭ（Random Access Memory）、ＲＯＭ（Read Only Memory）、及び専用のハードウェア回路を含んで構成される。プロセッサーは、例えば、ＣＰＵ（Central Processing Unit）、ＭＰＵ、又はＡＳＩＣ等である。制御ユニット１０は、制御部１００と、操作受付部１０１と、ジョブ管理部１０２と、表示制御部１０３と、表示位置情報記憶部１０４と、ジョブ情報記憶部１０５と、を備えている。
【００１８】
制御ユニット１０は、ＨＤＤ９２に記憶されている上記表示制御プログラムに従った動作により、制御部１００、操作受付部１０１、ジョブ管理部１０２、表示制御部１０３、表示位置情報記憶部１０４、及びジョブ情報記憶部１０５として機能する。但し、制御部１００、操作受付部１０１、ジョブ管理部１０２、表示制御部１０３、表示位置情報記憶部１０４、及びジョブ情報記憶部１０５は、制御ユニット１０による表示制御プログラムなどに従った動作によらず、それぞれハードウェア回路により構成することも可能である。以下、特に触れない限り、各実施形態について同様である。
【００１９】
表示位置情報記憶部１０４は、表示部４７３の表示領域に直近に表示させたスクロール画像の予め定められた一部分を示す表示位置情報を記憶する。制御部１００は、表示部４７３の表示領域にスクロール画像の予め定められた一部分を表示させる度に、表示位置情報記憶部１０４に記憶されている表示位置情報を更新する。スクロール画像とは、表示制御部１０３が、スクロール表示させる対象として表示部４７３に表示させる画像である。すなわち、スクロール画像は、その全体が１度の表示では表示部４７３の表示領域に表示できず、スクロール表示をしなければ全体が表示領域に表示されない画像である。
【００２０】
ジョブ情報記憶部１０５は、各ジョブの受付時刻や種類（例えば、コピー印刷、プリンター印刷、ファクス受信印刷、ファクス送信、スキャン保存）、ジョブ名、ユーザー名、状況（例えば、待機中、処理中、完了）などのジョブ情報を記憶する。
【００２１】
制御部１００は、画像形成装置１の全体的な動作制御を司る。制御部１００は、原稿給送部６、原稿読取部５、画像形成部１２、画像メモリー３２、ＨＤＤ９２、定着部１３、給紙部１４、操作部４７、ファクシミリ通信部７１、及びネットワークインターフェイス部９１と接続され、これら各部の駆動制御を行う。
【００２２】
操作受付部１０１は、操作部４７（タッチパネル等）から出力される検知信号に基づき、ユーザーにより入力されたユーザー操作を特定する。操作受付部１０１は、当該特定したユーザー操作が示す指示を受け付け、当該指示に対応する制御信号を制御部１００などに出力する。
【００２３】
ジョブ管理部１０２は、発生したジョブを示すジョブ情報をジョブ情報記憶部１０５に記憶させるとともに、ジョブの状況変化に応じて、ジョブ情報記憶部１０５に記憶されるジョブ情報を適宜更新する。
【００２４】
表示制御部１０３は、表示部４７３の表示制御を行う。表示制御部１０３は、例えば、操作受付部１０１がユーザーからの表示部４７３の表示内容をスクロールさせる指示を操作部４７のタッチパネル機能を介してフリック又はスワイプ操作等に基づいて受け付けると、当該要求に応じて表示部４７３の表示をスクロールさせる。
【００２５】
次に、上記の構成を備える画像形成装置１の動作について説明する。図２は、画像形成装置１による表示制御時の処理を示すフローチャートである。
【００２６】
例えば、操作受付部１０１がユーザーからのジョブリストの表示要求を受け付けると、制御部１００は、ジョブ情報記憶部１０５からジョブ情報を読み出す（Ｓ１）。表示制御部１０３は、読み出したジョブ情報に基づいて、ジョブリストを含んだ表示画面を作成する（Ｓ２）。
【００２７】
図３は、ジョブリストを含んだ表示画面の一例を示した図である。表示画面Ｄ１は、表示領域Ｅ１に表示される複数の項目（番号、受付時刻、種類、ジョブ名、ユーザー名、状況）からなるジョブリストＪ１と、タイトル名「ジョブ確認画面」及び項目名が表示された上段バーＢｕと、表示画面Ｄ１を閉じるための「Close」と表示されたボタンＢ１が形成された下段バーＢｄといったそれぞれの画像を含んで構成される。
【００２８】
ここで、例えば、上記ジョブリストＪ１は、表示部４７３の表示領域Ｅ１内に全体を表示可能である。すなわち、ジョブリストＪ１は、スクロール画像ではない。しかしながら、図４に示すジョブリストＪ２のように、ジョブ情報が多い場合は、表示部４７３の表示領域内に収まりきらず、その全体を表示領域Ｅ１内に表示することは不可能となる。すなわち、ジョブリストＪ２は、スクロール画像である。なお、図中のＳＴ、ＥＤはそれぞれ、ジョブリストＪ２の先頭位置及び最終位置を示している。
【００２９】
続いて、表示制御部１０３は、作成した上記表示画面に含まれるジョブリストがスクロール画像であるか否かを判断する（Ｓ３）。表示制御部１０３は、当該表示画面がスクロール画像を有していると判断すれば（Ｓ３でＹＥＳ）、表示位置情報記憶部１０４に、当該スクロール画像に関する上述した表示位置情報（すなわち、表示部４７３の表示領域Ｅ１にスクロール画像のどの部分が前回表示されたかを示す位置情報）が記憶されているか否かを判断する（Ｓ４）。
【００３０】
表示制御部１０３は、表示位置情報記憶部１０４に当該スクロール画像に関する表示位置情報が記憶されていないと判断した場合（Ｓ４でＮＯ）、スクロール画像である例えばジョブリストＪ２（図４）の先頭部分（番号「0001」〜「0004」のジョブ情報が表示された部分）を、予め定められた一部分として、表示領域Ｅ１（図４）に最初に表示させるトップ部分Ｊｔに設定する（Ｓ５）。
【００３１】
一方、表示制御部１０３が、上記スクロール画像に関する表示位置情報が表示位置情報記憶部１０４に記憶されていると判断すれば（Ｓ４でＹＥＳ）、表示制御部１０３は、表示位置情報記憶部１０４に記憶されている表示位置情報に基づいて、ジョブリストＪ２のうち、前回表示されていた部分を、予め定められた一部分として、今回表示領域Ｅ１に最初に表示させるトップ部分Ｊｔに設定する（Ｓ６）。例えば、ジョブリストＪ２についての表示位置情報が示す、前回表示された際に表示されていた部分が番号「0005」〜「0008」のジョブ情報部分である場合、番号「0005」〜「0008」のジョブ情報が表示された部分をトップ部分Ｊｔに設定する。
【００３２】
そして、表示制御部１０３は、図５に示すように、スクロール画像であるジョブリストＪ２の全体像を有した全体画像Ｄａを表示部４７３に表示させるとともに、トップ部分Ｊｔが強調されるように、トップ部分Ｊｔを太枠Ｆ１で示したり、トップ部分Ｊｔの４隅から放射状に延びた線分Ｌ１〜Ｌ４で示したりする（Ｓ７）。
【００３３】
その後、表示制御部１０３は、図６に示すように、ジョブリストＪ２のうち、トップ部分Ｊｔが時間経過〈図６では0秒後、T/2秒後、T秒後〉と共に徐々に拡大されていくアニメーション表示を表示部４７３に行わせる（Ｓ８）。図７は、トップ部分Ｊｔが徐々に拡大されていくアニメーション表示を説明するための説明図である。図７中の太枠がトップ部分Ｊｔを示しており、図７は、表示制御部１０３がトップ部分Ｊｔを一定速度で拡大させる様子を示している。なお、ここでは一定速度で拡大されていく場合を示しているが、拡大速度については一定でなくてもよく、表示制御部１０３は、徐々に速くなるように、又は徐々に遅くなるようにアニメーション表示を行ってもよい。このようにして、図８に示すように、表示領域Ｅ１にトップ部分Ｊｔが配置された表示画面Ｄ２を表示部４７３に表示させる（Ｓ９）。
【００３４】
また、Ｓ３において、表示制御部１０３が、Ｓ２で制御部１００が作成した表示画面がスクロール画像を有していないと判断した場合（Ｓ３でＮＯ）、例えばジョブリストＪ１（スクロール表示しなくても全体を表示領域Ｅ１内に表示可能な大きさの画像）と上段バーＢｕと下段バーＢｄとを含んで構成される表示画面Ｄ１（図３）を表示部４７３に表示させる（Ｓ１０）。
【００３５】
上記実施形態によれば、表示制御部１０３が、スクロール表示しなければ全体を表示領域Ｅ１内に表示できないスクロール画像を表示部４７３に表示させる場合、表示領域Ｅ１に当該スクロール画像の予め定められた一部分を配置した例えば表示画面Ｄ２（図８）を表示部４７３に表示させる前に、スクロール画像である例えばジョブリストＪ２の全体像を有した全体画像Ｄａ（図５）を表示部４７３に一旦表示させる。すなわち、表示制御部１０３は、表示対象とする画像がスクロール表示により表示部４７３に表示するスクロール画像である場合には、当該スクロール画像の全体を示す全体像を表示部４７３に一旦表示させてから、表示部４７３の表示領域Ｅ１に表示可能な範囲内となる、当該スクロール画像の上記予め定められた一部分を表示部４７３に表示させる。
【００３６】
このため、表示制御部１０３が表示部４７３に、スクロールバーを表示しない、或いは、スクロールバーを小さく表示するような場合であっても、表示領域Ｅ１に表示されている画像が、スクロール表示しなければ全体を表示領域Ｅ１内に表示できないスクロール画像であることを、ユーザーに気付かせることが可能になる。すなわち、当該スクロール画像が未だ表示部４７３に表示されていない画像部分を含むことを、ユーザーが当該全体像を視認することで、容易に把握することができる。
【００３７】
また、スクロール画像の全体像が表示部４７３に表示された後は、ユーザーが操作を行わなくても、スクロール画像の予め定められた一部分のみが表示部４７３に表示される状態になるため、全体像がそのまま表示され続けて細部を視認し難い等の不具合なく、ユーザーは当該表示されている画像に基づく操作等をすぐに行うことができる。上記実施形態では、ジョブリストＪ２の全体像を有した全体画像Ｄａを表示部４７３に表示させた後、表示部４７３の表示内容は表示画面Ｄ２に自動的に切り替わるので、ユーザーは表示画面Ｄ２を用いた作業にすぐに取り掛かることができる。
【００３８】
また、上記実施形態では、表示画面Ｄ２の表示領域Ｅ１に最初に表示されるトップ部分Ｊｔが強調されるように全体画像Ｄａが表示部４７３に表示されるので、トップ部分Ｊｔをユーザーに注目させることができ、トップ部分ＪｔがジョブリストＪ２全体のどのあたりに位置するかをユーザーが把握しやすくなる。
【００３９】
さらに、上記実施形態では、トップ部分Ｊｔが徐々に拡大されていくアニメーション表示によって、表示部４７３に表示される表示内容が全体画像Ｄａから表示画面Ｄ２に切り替わるので、トップ部分Ｊｔをユーザーにより注目させることができる。
【００４０】
また、上記実施形態では、図５に示したように、スクロール画像であるジョブリストＪ２全部をそのまま有した全体画像Ｄａを表示部４７３に表示させる場合について説明しているが、他の実施形態として、図９に示すように、表示制御部１０３が、スクロール画像の全体像を表示部４７３に表示させる場合において、スクロール画像としてのジョブリストＪ２のうち、トップ部分Ｊｔ以外を簡略（例えば、非表示）した全体画像Ｄｂを表示部４７３に表示させるようにしてもよい。これにより、トップ部分Ｊｔをより強調させることができ、トップ部分Ｊｔをユーザーにより一層注目させることができる。
【００４１】
また、上記実施形態では、図５に示したように、スクロール画像であるジョブリストＪ２を１列で示した全体画像Ｄａを表示部４７３に表示させているが、更なる他の実施形態として、表示制御部１０３が、図１０に示したように、ジョブリストＪ２を構成するジョブ情報の数が予め定められた値よりも多い場合には、ジョブリストＪ２を分割して、２列以上に並べた全体画像Ｄｃを表示部４７３に表示させるようにしてもよい。例えば、表示制御部１０３は、ジョブ情報が１〜１５個のときは１列、ジョブ情報が１６個〜３０個のときは２列、ジョブ情報が３１個以上のときは３列となるように設定する。
【００４２】
なお、本発明は上記実施の形態の構成に限られず種々の変形が可能である。例えば、上記実施形態では、本発明に係る表示装置の一実施形態として画像形成装置を用いて説明しているが、これは一例に過ぎず、本発明に係る表示装置は、表示部を備えた、モバイル機器、医療機器、券売機、予約システム等といった機器でもよい。
【００４３】
また、上記実施形態では、図１乃至図１０を用いて上記実施形態により示した構成及び処理は、本発明の一実施形態に過ぎず、本発明を当該構成及び処理に限定する趣旨ではない。
【符号の説明】
【００４４】
１        画像形成装置
１０      制御ユニット
１００    制御部
１０１    操作受付部
１０３    表示制御部
１０４    表示位置情報記憶部
４７３    表示部
【図１】
0006597482.tif 000002
【図２】
0006597482.tif 000003
【図３】
0006597482.tif 000004
【図４】
0006597482.tif 000005
【図５】
0006597482.tif 000006
【図６】
0006597482.tif 000007
【図７】
0006597482.tif 000008
【図８】
0006597482.tif 000009
【図９】
0006597482.tif 000010
【図１０】
0006597482.tif 000011